(57)【要約】【課題】無蓋側溝又は有蓋側溝にも簡単に適用することができて作業効率に優れ、しかも、作業員の被ばく量を低減することのできる洗浄装置を提供する。【解決手段】側溝Ｓ内を移動可能に形成されたフレーム１と、前記側溝Ｓの長手方向を中心とし、かつ、その長手方向の一方側の斜めに向けた放射方向に圧力水を噴射する、前記フレーム１に載置された噴射ノズル体１０と、前記フレーム１の上端部に設けられ、前記噴射ノズル体１０から噴射される圧力水を前記側溝Ｓ内に反射する天板カバー２０とからなる。【選択図】図１
2014105520.tif 000002
【特許請求の範囲】
【請求項１】
側溝内を移動可能に形成されたフレームと、
前記側溝の長手方向を中心とし、かつ、その長手方向の一方側の斜めに向けた放射方向に圧力水を噴射する、前記フレームに載置された噴射ノズル体と、
前記フレームの上端部に設けられ、前記噴射ノズル体から噴射される圧力水を前記側溝内に反射する天板カバーと、
を備えていることを特徴とする洗浄装置。
【請求項２】
前記天板カバーは、前記フレームに着脱自在に設けられていることを特徴とする請求項１に記載の洗浄装置。
【請求項３】
前記天板カバーには、前記側溝の内壁に摺接される可撓性部材が設けられていることを特徴とする請求項１又は２に記載の洗浄装置。
【請求項４】
前記フレームの下部には、ローラが設けられていることを特徴とする請求項１乃至３のいずれか１項に記載の洗浄装置。
【発明の詳細な説明】
【技術分野】
【０００１】
本発明は、洗浄装置に係り、特に、側溝内に堆積した土砂等の堆積物を高圧水を用いて洗浄するものに関する。
【背景技術】
【０００２】
従来、特許文献１には、地中に埋設された地中管に堆積した土砂等の堆積物を噴射ノズルから噴射される高圧水を用いて洗浄する洗浄装置が開示されている。この高圧水を用いた洗浄装置は、側溝に堆積した堆積物も除去することができるので、側溝の除染作業にも適用されている。
ところで、高圧水を用いた除染は、側溝の小さい隙間や窪みに入り込んでいる固形物も排出できるので高い除染効果が期待されている。
【０００３】
このような高圧水を用いた洗浄装置は、側溝が蓋の付いた有蓋側溝及び水路が地中に埋設された地中管の場合は、噴射水が外に飛散することが無いので、上記特許文献１に示されるような暗渠用の高圧水を用いた洗浄装置をそのまま適用することができるが、蓋のない無蓋側溝の場合は汚染された堆積物が飛散して汚染物の再拡散が発生するとともに、飛散した汚染物が作業員にかかって付着するのでそのまま適用することはできない。
【０００４】
高圧水を用いた洗浄装置において、作業員が噴射ノズルを手に持って除染作業を行う場合、無蓋側溝の場合は高圧水を側溝内に噴射させ、また、有蓋側溝の場合は蓋を外して高圧水を側溝内に噴射させて除染作業が行われる。この除染作業を行う際には、汚染された堆積物が飛散して汚染物が再拡散しないように、かつ、飛散した汚染物が作業員にかからないようにするために、飛散防止用のカバーで養生しながら除染作業を行うようにしている。
【先行技術文献】
【特許文献】
【０００５】
【特許文献１】特開平１０−２８６５４０号公報
【発明の概要】
【発明が解決しようとする課題】
【０００６】
しかしながら、従来の洗浄装置では、以下のような問題があった。
すなわち、従来の作業員が噴射ノズルを手に持って除染作業を行う洗浄においては、飛散防止用のカバーで養生しながら除染作業を行うようにしているので作業効率が劣るという欠点がった。
また、作業員が噴射ノズルを手に持って除染作業を行う場合は、汚染された堆積物に曝される機会が多いので、作業員の被ばく量を少なくするために多くの作業員を用意しなければならないという欠点がった。さらに、有蓋側溝の蓋を外して除染作業を行う場合は、その除染作業が終了したときには、再び蓋をしなければならず作業効率が劣るという欠点がった。
【０００７】
本発明は、上述する問題点に鑑みてなされたもので、無蓋側溝又は有蓋側溝にも簡単に適用することができて作業効率に優れ、しかも、作業員の被ばく量を低減することのできる洗浄装置を提供することを目的とする。
【課題を解決するための手段】
【０００８】
上記目的を達成するため、本発明に係る洗浄装置では、側溝内を移動可能に形成されたフレームと、前記側溝の長手方向を中心とし、かつ、その長手方向の一方側の斜めに向けた放射方向に圧力水を噴射する、前記フレームに載置された噴射ノズル体と、前記フレームの上端部に設けられ、前記噴射ノズル体から噴射される圧力水を前記側溝内に反射する天板カバーと、を備えていることを特徴としている。
【０００９】
本発明では、フレームの上端部に天板カバーが設けられているので、噴射ノズル体から噴射された圧力水は側溝内に反射されて側溝外への飛散が防止される。したがって、この洗浄装置が無蓋側溝の除染に使用される場合は、養生作業の必要がなく、作業員が洗浄装置の傍に位置することなく除染作業を行うことができ、作業員の被ばく量を少なくすることができる。
【００１０】
また、本発明に係る洗浄装置では、本発明に係る洗浄装置は、天板カバーはフレームに着脱自在に設けられていることが好ましい。
【００１１】
この場合には、天板カバーはフレームに着脱自在に設けられているので、天板カバーを外したときは、有蓋側溝又は地中管を除染するのに利用することができる。
【００１２】
また、本発明に係る洗浄装置では、天板カバーには側溝の内壁に摺接される可撓性部材が設けられていることが好ましい。
【００１３】
上記構成に係る洗浄装置は、天板カバーには側溝の内壁に摺接される可撓性部材が設けられているので、圧力水が側溝外に飛散するのを効果的に、且つ確実に防止することができる。
【００１４】
また、本発明に係る洗浄装置では、フレームの下部には、ローラが設けられていることを特徴としている。
【００１５】
上記構成に係る洗浄装置は、フレームの下部にローラが設けられているので、フレームの移動を容易に行うことができる。
【発明の効果】
【００１６】
本発明の洗浄装置によれば、フレームの上端部に天板カバーが設けられているので、除染される側溝が無蓋側溝の場合でも、噴射ノズル体から噴射された圧力水は側溝外に飛散することがなく、また、作業員が洗浄装置の傍に位置することなく除染作業を行うことができる。したがって、作業員の被ばく量を少なくすることができる。
しかも、飛散防止のための養生作業が不要になることから、作業効率の向上を図ることができる。
【図面の簡単な説明】
【００１７】
【図１】本発明の第１の実施の形態による洗浄装置の正面図である。
【図２】図１に示す洗浄装置の側面図である。
【図３】図１に示す洗浄装置の平面図である。
【図４】洗浄装置を用いた側溝の除染作業を示す説明図である。
【図５】本発明の第２の実施の形態による洗浄装置の側面図である。
【図６】図５に示す洗浄装置を前側（ノズルヘッド側）から見た正面図であって、前板カバーを省略した図である。
【図７】図５に示す洗浄装置を後側から見た正面図であって、後板カバーを省略した図である。
【図８】図５に示す洗浄装置を後側から見た正面図であって、噴射ノズル体及びローラを省略した図である。
【発明を実施するための形態】
【００１８】
以下、本発明による洗浄装置の実施の形態について図面を用いて説明する。なお、本発明は、この実施の形態により限定されるものではなく、また、下記の実施の形態における構成要素には、当業者が置換可能かつ容易なもの、あるいは実質的に同一ものも含まれる。
【００１９】
（第１の実施の形態）
図１は、本実施の形態による洗浄装置ａの正面図、図２はその側面図、図３はその平面図である。この洗浄装置ａは、フレーム１と、噴射ノズル体１０と、天板カバー２０とを含んで構成されている。
【００２０】
フレーム１は金属製からなり、その全体の形状が直方体を呈するように構成されていて、Ｕ字溝からなる側溝Ｓ内に移動自在に収納できる大きさに構成されている。すなわち、このフレーム１は、図１の正面側から見たとき及び図１の正面側と反対側からから見たとき、所定の間隔を保って左右両側に一対の縦棒材２ａ，２ｂ、３ａ，３ｂがそれぞれ設けられている（図２参照）。
【００２１】
一対の縦棒材２ａ，２ｂ、３ａ，３ｂの各上部は、上部横桟材４，４…でそれぞれ接続され、縦棒材２ａ，２ｂ、３ａ，３ｂ間の略中間部分は、中間横桟材５ａ，５ｂでそれぞれ接続されている。そして、各縦棒材２ａ，２ｂ，３ａ，３ｂの下端部には、フレーム１が側溝Ｓ内を長手方向に移動できるようにローラ６がそれぞれ設けられている。
【００２２】
噴射ノズル体１０は、中間横桟材５ａ，５ｂの中央部に固定されている。この噴射ノズル体１０は、一方（図２における左端側）の中間横桟材５ａにノズルヘッド１１が設けられ、他方（図２における左端側）の中間横桟材５ｂには、後述の図３に示される高圧洗浄車ｂ（図４参照）に連なるホース１２が接続されるように構成されている。そして、ノズルヘッド１１には、側溝Ｓの長手方向を中心とし、かつ、その長手方向の前記他方側である中間横桟材５ｂ側に向けた斜め方向の放射方向に圧力水を噴射する多数の噴射口（図示せず）、もしくは回転式の噴射口が設けられている（図２参照）。
【００２３】
天板カバー２０は、フレーム１の上端部に着脱自在に設けられていて、側溝Ｓの長手方向の一部部分を覆うことができるように構成されている（図３参照）。また、この天板カバー２０は、側溝Ｓの短手方向の長さ、すなわち側溝Ｓの幅よりも少し短く形成されていて、フレーム１が側溝Ｓ内で自由に移動できるように決められている。そして、この天板カバー２０の上面部は、側溝Ｓの上面から突出しないように決められている。
【００２４】
この天板カバー２０の短手方向の両側には、ゴム板からなる可撓性部材２１ａ，２１ｂがそれぞれ設けられていて、天板カバー２０と側溝Ｓの側壁の内側との間に生ずる間隙を摺動自在に覆うことができるように構成されている。
【００２５】
上記構成からなる洗浄装置ａを用いた無蓋側溝からなる側溝Ｓの除染作業と、洗浄装置ａの作用について、図４等を用いて説明する。
【００２６】
先ず、側溝Ｓの除染区間の上流側に洗浄装置ａが設置され、その下流側に土嚢Ｄが設置されるとともに、その土嚢Ｄの上流側に吸引車ｃの吸引ホースｃ´が設置されて吸引車ｃが駆動される。
次いで、高圧洗浄車ｂを駆動しながらホース１２が所定のスピードで巻き取られると、噴射ノズル体１０から噴射された高圧水が側溝Ｓの内壁面を洗浄するとともに、汚染された堆積物を下流側に移動させる。そして、その移動させられた堆積物は、吸引車ｃにより吸引除去される。
なお、噴射ノズル体１０のノズルヘッド１１自体が回転可能な構成である場合には、さらに効率よく洗浄することができる。
【００２７】
噴射ノズル体１０から噴射された圧力水は、図２に示すように天板カバー２０及び可撓性部材２１ａ，２１ｂが設けられているので、天板カバー２０及び可撓性部材２１ａ，２１ｂで側溝Ｓ内に反射され側溝Ｓ外に飛散することがなく、また、作業員が飛散防止のために洗浄装置ａの傍に位置することなく除染作業を行うことができる。したがって、作業員の被ばく量を少なくすることができる。
しかも、飛散防止のための養生作業が不要になることから、作業効率の向上を図ることができる。
【００２８】
この洗浄装置ａを用いて有蓋側溝又は地中管を除染する場合は、フレーム１から天板カバー２０を外した状態で噴射ノズル体１０から圧力水を噴射して行われる。なお、天板カバー２０の上面部の位置を有蓋側溝の蓋の下面位置よりも少し低くした場合は、天板カバー２０を外すことなくそのまま使用することができる。
【００２９】
また、本実施の形態では、天板カバー２０はフレーム１に着脱自在に設けられているので、天板カバー２０を外したときは、有蓋側溝又は地中管を除染するのに利用することができる。
【００３０】
また、本実施の形態の洗浄装置ａは、天板カバー２０には側溝Ｓの内壁に摺接される可撓性部材２１ａ，２１ｂが設けられているので、圧力水が側溝外に飛散するのを効果的に、且つ確実に防止することができる。
【００３１】
さらに、フレーム１の下部にはローラ６が設けられているので、フレーム１の移動を容易に行うことができる。
【００３２】
（第２の実施の形態）
図５乃至図７に示すように、第２の実施の形態による洗浄装置ａ１は、側溝Ｓの左右両側に位置する側壁の内側上端を該側壁の延在方向に沿って転動する一対の水平ローラ７ａ、７ｂを備えるとともに、天板カバー２０の長手方向の両側に前板カバー３１、後板カバー３２が設けられた構成となっている。
【００３３】
本実施の形態におけるフレーム１Ａは、ローラ６を支持するとともに、噴射ノズル体１０のホース１２を挿通可能に支持する一対の本体部１３ａ、１３ｂと、それら本体部１３ａ、１３ｂ同士を連結する横支持材１４と、各本体部１３ａ、１３ｂから上方に向けて突出し天板カバー２０を着脱可能に固定する縦支持材１５ａ、１５ｂと、を備えている。本体部１３ａ、１３ｂ、及び横支持材１４は、装置の幅方向中央に位置している。なお、本実施の形態では、装置の長手方向の一端側（ここではノズルヘッド１１側となる前端側）の本体部１３ａに１つのローラ６が支持され、他端側（後端側）の本体部１３ｂに左右一対のローラ６が支持され、３輪となっている。側溝Ｓの内空幅が広い場合には、前側も２つのローラ６とし、装置全体で４輪にすることができる。
【００３４】
天板カバー２０は、側溝Ｓの上面よりも上方に位置している。前板カバー３１は、天板カバー２０の前端に、天板カバー２０の短手方向に沿う方向を中心軸Ｃ１として回動可能に設けられている。前板カバー３１の下端は、噴射ノズル体１０に接触しない位置となっている。
後板カバー３２は、天板カバー２０の後端に、天板カバー２０の短手方向に沿う方向を中心軸Ｃ２として回動可能に設けられている。図８に示すように、後板カバー３２は、下端が側溝Ｓの底壁付近となる位置に設けられ、背面側（前方側）にゴムカバー３２ａを備えるとともに、噴射ノズル体１０のホース１２が通過可能で下方に開口する凹部３２ｂが前記ゴムカバー３２ａとともに形成されている。
【００３５】
図６及び図７に示すように、一対の水平ローラ７ａ、７ｂは、天板カバー２０の長手方向中央の裏面から垂下する支持材７１に支持されている。洗浄装置ａ１を側溝Ｓ内で移送させる際には、水平ローラ７ａ、７ｂが側溝の側壁に沿って転動するので、洗浄装置ａ１の幅方向への移動が規制され、安定した走行が可能となる。
【００３６】
本第２の実施の形態では、天板カバー２０、前板カバー３１、及び後板カバー３２が設けられているので、上述した第１の実施の形態と同様に、除染される側溝Ｓが無蓋側溝の場合でも、噴射ノズル体１０から噴射された圧力水が側溝Ｓ外に飛散することがなく、また、作業員が洗浄装置ａ１の傍に位置することなく除染作業を行うことができるうえ、飛散防止用の養生作業も不要になるので、作業効率の向上を図ることができる。
【００３７】
以上、本発明による洗浄装置の実施の形態について説明したが、本発明は上記の実施の形態に限定されるものではなく、その趣旨を逸脱しない範囲で適宜変更可能である。
【００３８】
例えば、本実施の形態では、洗浄装置ａ、ａ１の洗浄は除染の例を示したが、側溝の堆積物を除去する通常の側溝洗浄であってもよい。
また、本実施の形態では、フレーム１にローラ６を設けているが、このローラ６に代えてそり状のスライダを設けるようにしてもよい。
【００３９】
また、フレーム１、１Ａや天板カバー２０の形状、大きさ等の寸法や構成は、側溝Ｓ内の広さ、噴射ノズル体１０の形状等に応じて任意に設定することが可能である。例えば、本第１の実施の形態では天板カバー２０の上面が側溝Ｓの上面から突出しない寸法としているが、第２の実施の形態のように上面から突出するように設けられていてもよい。
【００４０】
また、天板カバー２０に設けた可撓性部材２１ａ，２１ｂを省略することも可能である。
さらに、本実施の形態では、天板カバー２０がフレーム１、１Ａに着脱可能に設けられているが、着脱式ではなく天板カバー２０がフレーム１、１Ａに固定されていても良い。
【００４１】
その他、本発明の趣旨を逸脱しない範囲で、上記した実施の形態における構成要素を周知の構成要素に置き換えることは適宜可能である。
【符号の説明】
【００４２】
１、１Ａ  フレーム
２ａ，２ｂ，３ａ，３ｂ  縦棒材
４  上部横桟材
５ａ，５ｂ  中間横桟材
６  ローラ
７ａ，７ｂ  水平ローラ
１０  噴射ノズル体
１１  ノズルヘッド
１２  ホース
２０  天板カバー
２１ａ，２１ｂ  可撓性部材
３１  前板カバー
３２  後板カバー
Ｓ  側溝
ａ、ａ１  洗浄装置
ｂ  高圧洗浄車
ｃ  吸引車
【図１】
2014105520.tif 000003
【図２】
2014105520.tif 000004
【図３】
2014105520.tif 000005
【図４】
2014105520.tif 000006
【図５】
2014105520.tif 000007
【図６】
2014105520.tif 000008
【図７】
2014105520.tif 000009
【図８】
2014105520.tif 000010